(57)【要約】【課題】  排便時に腰を押して背筋を伸ばした正座の姿勢を保つことができる。便蓋を閉じた際に腰当てを便蓋の凹部内に収納できて、腰当てが無い便蓋を閉じたのと同じような収まりで便蓋を閉じることができて外観がよく、衛生的で、臭気防止効果がある。【解決手段】  便器１に便座２と便蓋３とを開閉自在に取付ける。便蓋３の裏面に凹部４を設け、該凹部４に収納自在に配置した腰当て５を凹部４から突出自在とする。【選択図】        図１
2006271560.tif 000002
【特許請求の範囲】
【請求項１】
便器に便座と便蓋とを開閉自在に取付け、便蓋の裏面に凹部を設け、該凹部に収納自在に配置した腰当てを凹部から突出自在として成ることを特徴とする便器装置。
【請求項２】
便蓋の便座に対向する面に腰当てを設けて成ることを特徴とする請求項１記載の便器装置。
【請求項３】
腰当ての駆動手段を便蓋に設けて成ることを特徴とする請求項１又は請求項２記載の便器装置。
【請求項４】
腰当てが、弾性を有する膨縮自在な空気袋であることを特徴とする請求項１乃至請求項３のいずれかに記載の便器装置。
【請求項５】
便蓋の回転軸よりも下方の便器側に便座の起立状態における回転止めを設けて成ることを特徴とする請求項１乃至請求項４のいずれかに記載の便器装置。
【請求項６】
便蓋の裏面に腰当てを左右対称に分割配置して成ることを特徴とする請求項１乃至請求項５のいずれかに記載の便器装置。
【請求項７】
腰当てを構成する空気袋に空気を給排気するための空気給排気手段を設け、便蓋を開閉するための便蓋開閉手段を設け、該便蓋開閉手段を上記空気給排気手段による空気の給排気により駆動することを特徴とする請求項１乃至請求項６のいずれかに記載の便器装置。
【発明の詳細な説明】
【技術分野】
【０００１】
本発明は、腰当てを有する便器装置に関するものである。
【背景技術】
【０００２】
従来から図７に示すような便器装置が特許文献１により知られている。この特許文献１に示される従来例は、便器１に回動自在に取付けた便蓋３の裏面に腰当て５’となるふくらみを突設したもので、便蓋３を起立して開いた状態で便座２に人が座った場合、上記便蓋３の裏面から突出した腰当て５’が人の腰に当たって、排便時に背筋を伸ばした正座の姿勢を保つと共に、腰を刺激して排便を促することができるようになっている。
【０００３】
しかしながら、上記した図７に示す従来例にあっては、便蓋３を閉じた場合、便蓋３の裏面から突出した腰当て５’が便座２に当たると、便蓋３を閉じることができない。したがって、便蓋３を閉じる際に便蓋３の裏面から突出した腰当て５’が便座２に当たらないようにする必要があり、このため、上記従来例においては、便蓋３の裏面の便座２上面と対向しない位置、つまり、便蓋３の裏面の便座２の開口部に対向する位置に腰当て５’を突出させて、便蓋３の裏面から突出させた腰当て５’を便座２の開口部内に挿入して逃がすようにする必要がある。
【０００４】
上記のように従来にあっては、腰当て５’の突出位置が便蓋３の裏面下部の左右方向の中央部にのみ限定されてしまい、便座２に座った使用者の腰を効果的に安定して押すことができないという問題がある。
【０００５】
しかも、男子が小用をするために便蓋３、便座２の双方を起立させて開いた場合、腰当て５’であるふくらみが便座２の開口部から前方に突出して見えて見苦しく、更に、便座２の開口部から前方に突出する腰当て５’に小便の飛沫がかかるおそれもあり、衛生的でなかった。
【０００６】
また、便座の裏面上部に背凭れを設けることが特許文献２に示してあるが、この特許文献２に示された従来例は便座に座った人が背中を凭れさせるためのものであり、この背中を凭れさせた姿勢は、便座に座った人の腰を押して排便時に背筋を伸ばした正座の姿勢とは異なり、排便を促する姿勢としては十分でない。
【特許文献１】実開昭５８−８４８００号公報
【特許文献２】特開２０００−１７５８４６号公報
【発明の開示】
【発明が解決しようとする課題】
【０００７】
本発明は上記の従来の問題点に鑑みて発明したものであって、排便時に腰を押して背筋を伸ばした正座の姿勢を保つことができ、また、便蓋を閉じた際に腰当てを便蓋の凹部内に収納できて、腰当てが無い便蓋を閉じたのと同じような収まりで便蓋を閉じることができて外観がよく、衛生的で、臭気防止効果もあり、また、自動的に腰当てを便蓋から突出させたり、収納したりできて、使用勝手がよく、また、腰当てが腰に当たることで便蓋に大きな負荷が作用しても安定して便蓋を支えることができ、また、利用者の体型に応じて確実に腰を押圧でき、更に、便蓋を閉じる際に便蓋が便座や便器に接触する際の速度を減少させて接触時の衝撃音の発生を防止すると共に接触部の破損を防止し、更に、便座、便蓋を開いて男子が小便をする際に腰当たりが露出しないようすることも可能となる便器装置を提供することを課題とするものである。
【課題を解決するための手段】
【０００８】
上記課題を解決するために本発明に係る便器装置は、便器１に便座２と便蓋３とを開閉自在に取付け、便蓋３の裏面に凹部４を設け、該凹部４に収納自在に配置した腰当て５を凹部４から突出自在として成ることを特徴とするものである。
【０００９】
このような構成とすることで、用便をする時、つまり、便蓋３を開いて起立させた状態で凹部４から腰当て５を突出させて便座２に座った人の腰を腰当て５に当接して排便時に背筋を伸ばした正座の姿勢を保つと共に、腰を刺激して排便を促することができる。また、腰当て５が突出したまま便蓋３を閉じようとすると便器１や便座２等に腰当て５が当たって、便蓋３を閉じる支障となるおそれがあるが、便蓋３を閉じる時は腰当て５を凹部４内に収納することで、腰当て５が無い従来から公知の便蓋を閉じたのと同じような収まりで便蓋３を閉じることができると共に腰当て５が外部に露出せずに外観がよく、また、突出した腰当て５が便器１や便座２に接触して非衛生となることがなく、蓋することで臭気防止効果もある。また、便蓋３の裏面の凹部４に腰当て５を収納した状態で便蓋３を閉じることができるので、便蓋３の裏面の便座２の開口部に対応する位置に腰当て５を配置しなければならないという従来のような腰当て５の配置位置の制約がなく、便蓋３の裏面の最適の位置に腰当て５を配置することが可能となる。
【００１０】
また、便蓋３の便座２に対向する面に腰当て５を設けることが好ましい。
【００１１】
このような構成とすることで、男子の小便のために便座２、便蓋３の双方を起立させて開いた場合、腰当て５が便座２により隠れて使用者に見えず、外観が良くなると共に、腰当て５に小便の飛沫がかかったりするのを防止できる。
【００１２】
また、腰当て５の駆動手段６を便蓋３に設けることが好ましい。
【００１３】
このような構成とすることで、便器装置のコンパクト化が図れ、また、従来の腰当て５の無い既存の便蓋に代えて、腰当て５、駆動手段６を備えた便蓋３に交換するのみで、簡単に既存の便器装置を腰当て付きの便器装置とすることが可能となる。
【００１４】
また、腰当て５が、弾性を有する膨縮自在な空気袋７であることが好ましい。
【００１５】
このような構成とすることで、便座２に座った使用者の腰の形状に沿うように弾性を有する空気袋７を押し当てることができて、使用者に応じて背筋を伸ばした正座の姿勢を保つことができ、快適な使用ができる。
【００１６】
また、便蓋３の回転軸９よりも下方の便器１側に便座２の起立状態における回転止め８を設けることが好ましい。
【００１７】
このような構成とすることで、腰当て５に強く腰が当たって便蓋３に大きな負荷が生じても、便蓋３の回転軸９よりも下方の便器１側に設けた回転止め８で上記負荷を支持できて、便蓋３の破損を防止し、安定して便蓋３を起立状態に保持して腰当て５により腰を押圧できる。
【００１８】
また、便蓋３の裏面に腰当て５を左右対称に分割配置することが好ましい。
【００１９】
このような構成とすることで、便座２に座った使用者の腰を左右２点支持で安定して支持でき、排便時に背筋を伸ばした正座の姿勢を安定して保つことができる。
【００２０】
また、腰当て５を構成する空気袋７に空気を給排気するための空気給排気手段１０を設け、便蓋３を開閉するための便蓋開閉手段１１を設け、該便蓋開閉手段１１を上記空気給排気手段１０による空気の給排気により駆動することが好ましい。
【００２１】
このような構成として、空気袋７に空気を給排気するための空気給排気手段１０による空気の供給、排気で便蓋開閉手段１１を動作させることで、腰当て５を膨縮するための手段を利用して便蓋３の自動開閉ができる。
【発明の効果】
【００２２】
本発明は、用便をする時、便座に座った人の腰を腰当てに当接して排便時に背筋を伸ばした正座の姿勢を保ち、腰を刺激して排便を促することができ、また、便蓋を閉じる時は腰当てを凹部内に収納することで、腰当てを設けたにもかかわらず、便蓋を閉じて臭気が外に漏れないようにできると共に、外観よく便蓋を閉じることができ、また、突出した腰当てが便器や便座に接触しないようにできて衛生的である。
【発明を実施するための最良の形態】
【００２３】
以下、本発明を添付図面に示す実施形態に基いて説明する。
【００２４】
図１に示すように、便器１の後部上面部には便座２、便蓋３の後端部をそれぞれ回動自在に取付けてあり、図１（ａ）のように便座２、便蓋３を倒して横にした姿勢が閉状態である。また、使用者が用便を行う場合は、図１（ｂ）のように便蓋３のみを起立させて開にした状態で使用者が便座２に座って用便を行う。
【００２５】
図２に示すように、便蓋３の裏面には凹部４が設けてあり、該凹部４に腰当て５が収納自在に配置してあり、該腰当て５は凹部４から突出自在となっている。図２の実施形態では便蓋３の周囲から裏側（便蓋３を閉じた状態では下方）に向けて突片１２が突設してあって、周囲の突片１２に囲まれた部分が凹部４となっている（つまり、便蓋３の裏面のほぼ全面に凹部４を形成してある）。ここで、便座２、便蓋３を閉じた際に、突片１２は便座２の上に載置されるか、又は、突片１２は便座２の外端のやや外側に位置して便器１の開口部の周囲の上面に載置されるようになっている。また、凹部４に腰当て５を収納して便蓋３を倒した状態で腰当て５が便器１の上面に当接しないようにしてある。ここで、凹部４に腰当て５を収納して便蓋３を倒した状態で腰当て５が便器１の上面だけでなく、便座２の上面にも当接しないように構成してもよい。
【００２６】
凹部４は上記のように便蓋３の裏面のほぼ全面に形成したものにのみ限定されず、便蓋３の裏面の一部に腰当て５を収納自在とする凹部４を設けてもよいものである。
【００２７】
腰当て５は、例えばゴムのような弾性を有する材料で形成してあり、図２、図３に示すようにアーム１３の先端部に設けてあり、アーム１３の下端部は便蓋３の裏面の凹部４の奥に設けた軸受け部１４に回動自在に軸支してある。図２、図３（ｂ）の実施形態では便蓋３の凹部４内には腰当て５の駆動手段６が内装してあって、駆動手段６を駆動することで、アーム１３を回動し、腰当て５、アーム１３を便蓋３の凹部４内に収納させたり、あるいは腰当て５を凹部４から突出させたりすることができるようになっている。図３の実施形態では腰当て５を収納状態から前方に突出させるには上から前方に向けて回動する（つまり起立状態から前に倒れるように回動する）ことで凹部４から前方に突出するようになっている。
【００２８】
駆動手段６は図３においては、駆動モータ１５と、駆動モータ１５の回転をアーム１３の下端に固着した従動軸１６に減速して伝達するための減速歯車機構１７とで構成してある。
【００２９】
これら駆動手段６はユニット化してあって図２、図３（ｂ）に示すようにハウジング１８内に収納した状態で凹部４内に内装してあり、駆動モータ１５や減速歯車機構１７が露出しないようにしてある。
【００３０】
このように駆動手段６を便蓋３に設けることで、便器装置のコンパクト化が図れるものである。また、従来の腰当て５の無い既存の便蓋に代えて、腰当て５、駆動手段６を備えた便蓋３に交換するのみで、容易に既存の便器装置を腰当て付きの便器装置とすることも可能である。
【００３１】
駆動手段６は使用者が便器１の近くに配置した操作スイッチ（図示せず）で突出操作、又は収納操作することで、操作スイッチから制御信号を制御部に送信して駆動手段６を駆動させて凹部４から腰当て５を突出させたり、あるいは突出させた腰当て５を凹部４内に収納させたりする。また、他の方法としては、便蓋３の起立を検出するリミットスイッチを設け、便蓋３の開状態（起立状態）あるいは開動作をリミットスイッチで検出し、検出信号を制御部に送信して駆動手段６を駆動させて凹部４から腰当て５を突出させたり、あるいは、便蓋３の閉状態（横向きに倒れた状態）あるいは閉動作をリミットスイッチで検知して突出していた腰当て５を凹部４内に収納するようにしてもよい。
【００３２】
リミットスイッチは例えば便蓋３の回転軸９に設けてあり、便器１側に設けられる上記回転軸９を回転自在に軸支するための軸受け部分（図示せず）又は便器１側にリミットスイッチを作動する作動部（図示せず）が設けてあり、便蓋３の開閉位置や開動作開始位置、閉動作開始位置等に便蓋３が位置すると作動部によりリミットスイッチが作動されるように設定してある。
【００３３】
また、便蓋３の回動角度を検知する便蓋回動角度検知センサを設け、便蓋３が回動し、ある設定された回動角度以上になるとこれを便蓋回動角度検知センサで検知し、検知信号を制御部に送信して駆動手段６を駆動させて凹部４から腰当て５を突出させたり、あるいは、便蓋３の起立状態で上記と逆方向に便蓋３を回動させて閉じる操作をしてある角度以下となると便蓋回動角度検知センサで検知し、検知信号を制御部に送信して突出していた腰当て５を凹部４内に収納するようにしてもよい。
【００３４】
上記のような構成の便器装置は、図１（ａ）のように、便蓋３を起立させて開にした状態で便座２に腰掛けるのであるが、この時、便蓋３の凹部４内に収納していた腰当て５が前方に突出して腰当て５が使用者の腰に押し当たり、これにより、排便時に背筋を伸ばした正座の姿勢を保つと共に、腰を刺激して排便を促することができるものである。
【００３５】
ここで、図３の実施形態のように腰当て５は上から前方に向けて前下りに回動するので、腰当て５により腰を上から前方に押し下げるようにして押圧することになり、便座２に座った使用者の姿勢を強制的に背筋を伸ばした正座の姿勢にすることができる。
【００３６】
用便が終わると、図１（ｂ）のように、便蓋３を倒して閉じるのであるが、この場合、腰当て５を凹部４内に収納するものであり、この収納状態で便蓋３を閉じることで、腰当て５が便蓋３を閉じる際の支障とならず、腰当て５が無い従来から公知の便蓋を閉じたのと同じような収まりで便蓋３を閉じることができることになる。これにより閉じた状態で腰当て５が露出しないだけでなく、閉じた場合の便蓋３の納まりに違和感がなく、腰当て１も外部に露出しないので外観がよく、また、突出した腰当て５が便器１や便座２に接触して非衛生となることがなく、蓋することで臭気防止効果もある。
【００３７】
図２（ｂ）に示す実施形態では、便蓋３の裏面に腰当て５を左右対称に分割配置してある。この実施形態においては、便座２に座った使用者の腰を左右対称に分割配置した腰当て５により左右２点で支持で安定して支持することができるものであり、排便時に背筋を伸ばした正座の姿勢をより安定して保つことができる。
【００３８】
また、腰当て５を便蓋３の便座２に対向する面に設けるようにすると、男子の小便のために便座２、便蓋３の双方を起立させて開いた場合、腰当て５が便座２により隠れて使用者から見えないようにできて外観が良くなる。また、男子の小便のために便座２、便蓋３の双方を起立させて開いた場合、腰当て５が露出しないので、腰当て５に小便の飛沫がかかって汚れたりするのを防止できることになる。この場合、腰当て５は凹部４内に収納しておくものであり、例えば、便座２が起立して開になることを便座開検知手段により検知することで、該検知信号を制御部に送信して腰当て５が突出しないように制御する。
【００３９】
ところで、便蓋３には図１（ｂ）に示すように、便蓋３を起立した状態で便蓋３の回転軸９よりも下方に位置する部位にストッパ用当たり部１９が設けてあり、また、便器１には便蓋３を起立させた場合、上記ストッパ用当たり部１９が当たって便蓋３のそれ以上の回動を規制する回転止め８が設けてある。便蓋３を起立させて腰当て５に使用者の腰を強く当てた場合、便蓋３に大きな負荷がかかるが、便蓋３の回転軸９よりも下方の部位に設けたストッパ用当たり部１９が便器１側に設けた回転止め８に当たって上記負荷が支持されることになり、便蓋３の破損を防止し、安定して便蓋３を起立状態に保持して腰当て５により腰を押圧できるようになっている。
【００４０】
次に、本発明の他の実施形態を図４、図５に基づいて説明する。本実施形態では腰当て５を弾性を有する膨縮自在な空気袋７で構成してある。空気袋７は、空気給排気手段１０に設けたエアポンプにより圧縮空気を注入することで膨張させ、空気給排気手段１０に設けた給排気弁を切り換えて強制排気することで収縮するようにしたエアバック方式のものであり、便蓋３の裏面の凹部４の奥部に空気袋７が取着してあり、空気を排気して収縮することで空気袋７が凹部４内に収納され、空気を注入することで空気袋７が膨張して空気袋７の前部が凹部４から前方に突出するようになっている。上記空気給排気手段１０は図５（ａ）に示すように便器１内に配置するのが好ましい。
【００４１】
しかして、本実施形態では便蓋３を起立させて開にした状態で便座２に腰掛けるのであるが、この時、前述の実施形態と同様に、操作スイッチを操作したり、あるいは、リミットスイッチや便蓋回動角度検知センサで便蓋３の開閉状態、あるいは開閉動作状態を検知することで、空気給排気手段１０に設けたエアポンプのオン、オフと、給排気弁の切換え制御を行うようになっている。そして、便蓋３を起立させて開いた後に操作スイッチを操作してエアポンプにより圧縮空気を空気袋７に供給したり、あるいは、便蓋３の開状態の検知又は開動作状態の検知によりエアポンプにより圧縮空気を空気袋７に供給することで空気袋７を膨張させ、空気袋７の一部を便蓋３の凹部４から突出させ便座２に座った使用者の腰を空気袋７で押圧する。この場合、使用者の体型により腰の形状が異なるが、弾性を有する空気袋７を膨張させて使用者の体型に応じて変形させて腰に押付けるので、使用者の体型に応じて快適な状態で背筋を伸ばした正座の姿勢を安定して保つことができる。
【００４２】
一方、操作スイッチを閉操作して空気袋７内の空気を強制排気して空気袋７を収縮させて凹部４内に収納した状態で便蓋３を閉じたり、あるいは、便蓋３の閉状態の検知又は閉動作状態の検知により空気袋７内の空気を強制排気して空気袋７を収縮させて凹部４内に収納した状態で便蓋３を閉じる。
【００４３】
このように便蓋３を閉じた状態では空気袋７を収縮させて凹部４内に収納されているので、閉じた状態で腰当て５が露出しないだけでなく、閉じた場合の便蓋３の納まりに違和感がなく、腰当て１も外部に露出しないので外観がよく、また、突出した腰当て５が便器１や便座２に接触して非衛生となることがなく、蓋することで臭気防止効果もある。
【００４４】
図４、図５に示す実施形態では、便蓋３を自動的に開閉するための便蓋開閉手段１１が設けてある。図４、図５においては便蓋開閉手段１１が蛇腹状空気袋２０により構成してある。蛇腹状空気袋２０は便蓋３の回転軸９付近に配置され、蛇腹状空気袋２０の一端部（下端部）が便器１に取着してあると共に他端部（上端部）が便蓋３に取着してあり、この蛇腹状空気袋２０は前述の腰当て５を構成する空気袋７に給排気するための空気給排気手段１０に連通接続してある。
【００４５】
そして、赤外線人体検知手段でトイレ内に入った使用者を検知したり、あるいは操作スイッチを開操作したり、あるいは、閉じた状態の便蓋３を開方方向に手動で少し動かした状態を初期手動開閉動作リミットスイッチにより検知した場合に、空気給排気手段１０に設けたエアポンプから圧縮空気を蛇腹状空気袋２０に供給して蛇腹状空気袋２０を膨張させることで、便蓋３が開くように回動させて図４（ａ）のように起立姿勢とするものである。この場合、腰当て５である空気袋７にも同時に圧縮空気を供給して膨張させることで空気袋７の一部を便蓋３の裏面から突出させるようにしてもよく、あるいは、蛇腹状空気袋２０により便蓋３を回動させて起立姿勢にした後に、空気袋７に圧縮空気を供給して膨張させることで空気袋７の一部を便蓋３の裏面から突出させるようにしてもよい。
【００４６】
また、赤外線人体検知手段で人の検知が非検知状態となったり、あるいは、操作スイッチを閉操作したり、あるいは、起立した開状態での便蓋３を閉方向に手動で少し動かした状態を初期手動開閉動作リミットスイッチにより検知した場合に、空気給排気手段１０に設けた給排気弁を切換えて蛇腹状空気袋２０内の空気を強制排気して蛇腹状空気袋２０を収縮させることで、便蓋３を閉方向に回動させて横向きに倒して閉じるものである。この場合、腰当て５である空気袋７から同時に圧縮空気を強制排気して収縮させることで空気袋７を凹部４内に収容させるようにしてもよく、あるいは、空気袋７から圧縮空気を強制排気して収縮させることで空気袋７を凹部４内に収容させた後に蛇腹状空気袋２０から圧縮空気を強制排気させて蛇腹状空気袋２０を収縮させて便蓋３を閉じるようにしてもよい。
【００４７】
本実施形態では腰当て５である空気袋７を膨縮するための空気給排気手段１０を、便蓋３の開閉を行うために蛇腹状空気袋２０を膨縮するために空気を供給したり、排気したりするための手段として兼用できるので、構成が簡略化できる。
【００４８】
上記蛇腹状空気袋２０を収縮させて便蓋３を閉操作するに当たっては、赤外線人体検知手段で人の検知が非検知状態となったり、あるいは、操作スイッチを閉操作したり、あるいは、起立した開状態での便蓋３を閉方向に手動で少し動かした状態を初期手動開閉動作リミットスイッチにより検知した場合に、空気給排気手段１０に設けた給排気弁を切換えて蛇腹状空気袋２０（及び空気袋７）内の空気を強制排気して蛇腹状空気袋２０（及び空気袋７）を強制的に収縮させるのであるが、この強制的収縮は便蓋３の開状態から閉方向への回動の初期のみとし、便蓋３の閉動作の途中からは排気弁を開放し、蛇腹状空気袋２０（及び空気袋７）の弾性力と便蓋３の回動による蛇腹状空気袋２０に対する圧縮力により蛇腹状空気袋２０（及び空気袋７）内の空気を自由排出させるようにしてもよい。この場合は、便蓋３が便器１や便座２に接触する速度が減少し、接触時に衝撃音を出すことなく閉動作が完了し、これにより接触部の破損がなくなり、従来からあった接触部緩衝材を無くすことが可能となる。
【００４９】
また、図６には本発明の更に他の実施形態が示してある。
【００５０】
本実施形態においては、上記実施形態における便蓋３を自動開閉するための蛇腹状空気袋２０を設けることなく、腰当て５である空気袋７に便蓋３を自動開閉するための機能を兼用させた例である。
【００５１】
本実施形態では図６に示すように、腰当て５を構成する空気袋７の一端部（背面部）の背面固定部２１を便蓋３の凹部４の奥面に固定し、空気袋７の他端部（下面部）の下面固定部２２を便器１に固定してある。また、腰当て５を構成する空気袋７には給排気するための空気給排気手段１０に連通接続してある。
【００５２】
そして、赤外線人体検知手段でトイレ内に入った使用者を検知したり、あるいは操作スイッチを開操作したり、あるいは、閉じた状態の便蓋３を開方方向に手動で少し動かした状態を初期手動開閉動作リミットスイッチにより検知した場合に、空気給排気手段１０に設けたエアポンプから圧縮空気を空気袋７に供給して空気袋７を膨張させることで、便蓋３が開くように回動させて図６（ａ）のように起立姿勢とすると共に、空気袋７の一部を便蓋３の凹部４から前方に突出させる。この状態で便座２に座った使用者の腰を空気袋７により押圧する。
【００５３】
一方、赤外線人体検知手段で人の検知が非検知状態となったり、あるいは、操作スイッチを閉操作したり、あるいは、起立した開状態での便蓋３を閉方向に手動で少し動かした状態を初期手動開閉動作リミットスイッチにより検知した場合に、空気給排気手段１０に設けた給排気弁を切換えて空気袋７内の空気を強制排気して空気袋７を収縮させることで、便蓋３を閉方向に回動させて横向きに倒して閉じると共に空気袋７を収縮させて凹部４内に収納する。本実施形態では腰当て５である空気袋７の膨縮を利用して便蓋３の自動開閉ができ、圧縮空気の空気容量を少なくでき、構造が簡略化できる。
【図面の簡単な説明】
【００５４】
【図１】本発明の便器装置の一実施形態を示し、（ａ）は便蓋を閉じ且つ腰当てを収納させている状態を示す側面図であり、（ｂ）は便蓋を開き且つ腰当てを突出させて使用者の腰に押し当てている状態を示す側面図である。
【図２】（ａ）は同上の腰当ての駆動手段を便蓋内に配置した例を示す概略断面図であり、（ｂ）は同上の斜視図である。
【図３】同上の腰当ての駆動手段の一例を示す正面図であり、（ｂ）は同上の側面図である。
【図４】本発明の便器装置の他の実施形態を示し、（ａ）は便蓋を閉じ且つ腰当てを収納させている状態を示す側面図であり、（ｂ）は便蓋を開き且つ腰当てを突出させて使用者の腰に押し当てている状態を示す側面図である。
【図５】（ａ）は同上の概略断面図であり、（ｂ）は同上の斜視図である。
【図６】本発明の便器装置の更に他の実施形態を示し、（ａ）は同上の概略断面図であり、（ｂ）は同上の斜視図である。
【図７】従来例を示す概略側面図である。
【符号の説明】
【００５５】
１  便器
２  便座
３  便蓋
４  凹部
５  腰当て
６  駆動手段
７  空気袋
８  回転止め
９  回転軸
１０  空気給排気手段
１１  便蓋開閉手段
【図１】
2006271560.tif 000003
【図２】
2006271560.tif 000004
【図３】
2006271560.tif 000005
【図４】
2006271560.tif 000006
【図５】
2006271560.tif 000007
【図６】
2006271560.tif 000008
【図７】
2006271560.tif 000009